(57)【要約】【課題】透明性に優れ、かつ、伸縮性の点でも従来品と遜色のない皮膚貼着用基布を得る。【解決手段】表目ウエール列と裏目ウエール列とが交互に位置するゴム編組織において、第１の編地の表目ウエールの下に第２の編地の裏目ウエールを、第１の編地の裏目ウエールの上に第２の編地の表目ウエールを、それぞれ交互にコースを一致させて重ね、第１の編地のシンカーループと第２の編地のシンカーループとをウエール間において交差させることで、各コースごとにウエール間にシンカーループで区画された透光路を設け、編地の透光性を高めている。【選択図】図１
2007306983.tif 000002
【特許請求の範囲】
【請求項１】
表目ウエール列と裏目ウエール列とが交互に位置するゴム編組織において、第１の編地の表目ウエールの下に第２の編地の裏目ウエールを、第１の編地の裏目ウエールの上に第２の編地の表目ウエールを、それぞれ交互にコースを一致させて重ね、第１の編地のシンカーループと第２の編地のシンカーループとをウエール間において交差させることで、各コースごとにウエール間にシンカーループで区画された透光路を設け、編地の透光性を高めたことを特徴とする皮膚貼付用基布。
【請求項２】
表目ウエール列と裏目ウエール列とが交互に位置するゴム編組織において、第１の編地の表目ウエールの下に第２の編地の裏目ウエールを、第１の編地の裏目ウエールの上に第２の編地の表目ウエールを、それぞれ交互にコースを一致させて重ね、第１の編地のシンカーループと第２の編地のシンカーループとをウエール間において交差させることで、各コースごとにウエール間にシンカーループで区画された透光路を設け、編地の透光性を高めると共に、表目及び又は裏目ウエール列が隣接するウエール同志同じ表目又は裏目で編成されたコースを付加することにより編地の柔軟性を高めたことを特徴とする皮膚貼付用基布。
【発明の詳細な説明】
【技術分野】
【０００１】
本発明皮膚貼付用基布は、刺激薬，鎮痛剤，抗菌剤等として使用される皮膚外用剤を塗付する基布、試料を皮膚表面に接触させて貼り付けるアレルギー検査の如き試験において使用するパッチ用の基布、傷口等を被い薬や包帯等を止める絆創膏の基布等に関し、爾後これらを包括して本発明においては皮膚貼付用基布と称する。詳しくは、透明性に優れ、かつ、伸縮性において従来品と遜色のない基布に関する。
【背景技術】
【０００２】
パップ剤，パッチ剤，シップ剤等を基布に塗布してなる貼着性を有する被覆部材を、患部に貼り付け薬効を得ることは極めて普通に行われている。然し、これらの貼着性を有する被覆部材を肌に貼り付け使用した場合に、外部から明らかにその使用を窺知することが可能な状態となる事態が生じている。その原因は、薬剤を担持する基布が肌に馴染まず使用部位の形を崩すこと、同基布の色相いと肌の色合いとを異にすること等にあると見られる。そのため、基布の伸縮性を高め、被覆部材がそれを使用する部位の形状に自由に添って形を得ることが出来、また、被覆部材と肌とその周囲の色調の差を少なくし、その存在を目立たないようにすることが考えられている。
【０００３】
その１つに、マルチフィラメント糸を両面メリヤス編に編み立ててなる基布に粘着性被覆部材を担持した皮膚外用部材が知られているが（特許文献１参照）、上記皮膚外用部材は、貼付時に、身体の動きに応じた伸縮性には優れ、かつ、伸長後のストレッチバック性が高いため基布或いはそれに塗布されている薬剤等に皺が生ずることがない等の効果を有するが、編地を構成する編糸が縮少するとき互いに編目ループの透孔を打ち消し合うような状態を呈し、基布の透光性を妨げることになり、貼付場所において基布の存在感を顕著にし、シップ剤等の使用を窺知させることになる。
【０００４】
また、皮膚貼着用基布に合成樹脂フィルムを使用するものがある。即ち、薬剤を担持する基布については肌へのなじみが良く、適度な柔軟性を有している塩化ビニル系樹脂からなるものが使用されていたりしているが、塩化ビニル樹脂からなる基材シートは、粘着剤層との親和性に乏しくなる等の事態が生じ、また、薬物によっては基材シートにも浸透拡散し、基材シートの膨潤劣化が生じ更には治療効果を得ることができなくなる等の問題も生じた（特許文献２）。そこで、ポリエチレンテレフタレートフィルムをアクリルニトリル樹脂を含む樹脂と積層してなる基材シートが作られたが、伸縮性に劣るものであった。  
【特許文献１】特開平１１−１８８０５４号公報
【特許文献２】特許第３４８５７０１号公報
【発明の開示】
【発明が解決しようとする課題】
【０００５】
本発明は上記の点に鑑みて、透明性に優れ、かつ、伸縮性の点でも従来品と遜色のない皮膚貼着用基布を得ることを目的としている。
【課題を解決するための手段】
【０００６】
本発明請求項１記載の発明にあっては、表目ウエール列と裏目ウエール列とが交互に位置するゴム編組織において、第１の編地の表目ウエールの下に第２の編地の裏目ウエールを、第１の編地の裏目ウエールの上に第２の編地の表目ウエールを、それぞれ交互にコースを一致させて重ね、第１の編地のシンカーループと第２の編地のシンカーループとをウエール間において交差させることで、各コースごとにウエール間にシンカーループで区画された透光路を設け、編地の透光性を高めている。
請求項２記載の発明にあっては、表目ウエール列と裏目ウエール列とが交互に位置するゴム編組織において、第１の編地の表目ウエールの下に第２の編地の裏目ウエールを、第１の編地の裏目ウエールの上に第２の編地の表目ウエールを、それぞれ交互にコースを一致させて重ね、第１の編地のシンカーループと第２の編地のシンカーループとをウエール間において交差させることで、各コースごとにウエール間にシンカーループで区画された透光路を設け、編地の透光性を高めると共に、表目及び又は裏目ウエール列が隣接するウエール同志同じ表目又は裏目で編成されたコースを付加することにより編地の柔軟性を高めている。
【発明の効果】
【０００７】
表目ウエール列と裏目ウエール列とが交互に位置するゴム編組織において、第１の編地の表目ウエールの下に第２の編地の裏目ウエールを、第１の編地の裏目ウエールの上に第２の編地の表目ウエールを、それぞれ交互にコースを一致させて重ね、第１の編地のシンカーループと第２の編地のシンカーループとをウエール間において交差させることで、各コースごとにウエール間にシンカーループで区画された透光路を設けたために、該編地を基布として皮膚に貼付使用した際に、基布は皮膚からの反射光を多く通過させることが出来皮膚の状況を覚知することが出来、そのために皮膚に対して基布の存在感を目立たせることがなく、皮膚外用剤等を使用することが出来る。
【０００８】
また、基布の表目及び又は裏目ウエール列が隣接するウエール同志同じ表目又は裏目で編成されたコースを付加することにより当該コース間のシンカーループは交差することなく平行に保たれているために編地の伸縮性を高めるこが出来るという効果を有する。
【発明を実施するための最良の形態】
【０００９】
本発明皮膚貼付用基布１は、図４に示す如き方形、或いは円形等適宜形状に裁断されその表面に皮膚外用剤２等を塗布され湿布３等に構成されている。基布１は、皮膚面に貼着け使用されるものであるため、身体の動きに応じて伸縮可能なものでなければならず、本発明にあってはその組織を両面編のスムース組織を変形したものとした。
【００１０】
基布１の組織の編目構成図を図１に、また、同組織の編成過程を、同編地のコースを編口から見た編目構成図により図２に示す。図３は他の例を示す。尚、図において、1コースごとに白糸と斜線（ハッチング）を入れた糸とを交互に記載しているが、これは糸種の違いを現しているのではなく、ループの構成を見易くするためである。
【００１１】
図１に示す例は、丸編機や横編機で両面編出合いによって編成されており、図２Ａに示す針Ｌ１，Ｌ２，Ｌ３，Ｌ４…で第１の編地Ｆ１を、針Ｓ１，Ｓ２，Ｓ３，Ｓ４…で第２の編地Ｆ２を編成している。図２Ａに記した矢印Ｘ方向から第１の編地Ｆ１を見ると表目Ｋだけで構成された表目ウエールＫｗと、裏目Ｐだけで構成された裏目ウエールＰｗが交互に存在している。
【００１２】
第２の編地Ｆ２も同様に図２において矢印Ｘ方向から見ると、裏目Ｐだけで構成された裏目ウエールＰｗと表目Ｋだけで構成された表目ウエールＫｗとが交互に存在している。そして、第１の編地Ｆ１の表目ウエールＫｗと第２の編地Ｆ２の裏目ウエールＰｗとが重なり合い、第１，第２の編地Ｆ１，Ｆ２共に隣接する表目ウエールＫｗと裏目ウエールＰｗとを構成する表目Ｋと裏目Ｐとの間はシンカーループＳＬでそれぞれ連続されている。
【００１３】
即ち、図２Ａにおける矢印Ｘの方向に基布１を見た場合、第１の編地Ｆ１の表目ウエールＫｗと第２の編地Ｆ２の表目ウエールＫｗとが交互に位置することになり、基布１の全面が表目で被われることになり、基布１を矢印Ｘと逆の方向から見た場合にも、矢印Ｘ方向から見た場合に裏目に見えていたループは、矢印方向Ｘと逆方向から見れば表目に見えるから、基布１を矢印Ｘと逆方向から見ても全面に表目が現れることになる。尚、図１においては、表目ウエールＫｗと裏目ウエールＰｗとを若干ずらして記載しているが、これは両ウエールの関係を明確に現すためで、実際には図２Ａのように左右にずれることはなく完全に重なった位置関係にある。
【００１４】
基布１の編成方法を更に詳細に説明する。図２Ａに示す１コース目を針Ｌ１，Ｌ２…により矢印Ｘ方向から見て、表目Ｋ，裏目Ｐ，表目Ｋ，裏目Ｐ…と繰り返し編成し表目Ｋと裏目Ｐとの間はシンカーループＳＬにより連ねた第１の編地Ｆ１を編成する。次に２コース目は針Ｓ１，Ｓ２…により矢印Ｘ方向から見て裏目Ｐ，表目Ｋ，裏目Ｐ，表目Ｋ…と繰り返し編成し、表目Ｋと裏目Ｐの間はシンカーループＳＬにより連ねた第２の編地Ｆ２を編成する。上記編成により１コース目のシンカーループＳＬをその上から２コース目のシンカーループＳＬが押さえる状態で交差することになる。
【００１５】
３コース目は図２Ｂに示す如く針Ｓ１，Ｓ２…により矢印Ｘ方向から見て裏目Ｐ，表目Ｋ，裏目Ｐ，表目Ｋ…と連続し、裏目Ｐと表目Ｋとの間はシンカーループＳＬにより連なっている第２の編地Ｆ２を編成する。上記３コース目のシンカーループＳＬは、２コース目のシンカーループＳＬが１コース目のシンカーループＳＬを押さえるよう１コース目のシンカーループと接触しているために、２コース目のシンカーループとはニードルループの長さに対応するが如き間隔を持って２コース目のシンカーループＳＬと対位することになり、その間に空隙が生ずる。図１に１０で示す。
【００１６】
次に４コース目は、針Ｌ１，Ｌ２，Ｌ３，…により矢印Ｘ方向から見て表目Ｋ，裏目Ｐ，表目Ｋ，裏目Ｐ…と繰り返し編成し、裏目Ｐと表目Ｋの間はシンカーループＳＬにより連なっている第１の編地を編成する。上記編成により３コース目のシンカーループＳＬに４コース目のシンカーループＳＬが交差し、４コース目のシンカーループＳＬにより３コース目のシンカーループＳＬが上から押さえられる状態で位置することになる。
【００１７】
次の５コース目（図１に示す）は、前記１コース目と同様の編成となり、５コース目のシンカーループは、４コース目のシンカーループとは間隔を有して位置することになり、以下これを繰り返す。即ち、各シンカーループＳＬは１，２コース、３，４コース、５，６コース…の各コースで互いに接し、２，３コース、４，５コース，６，７コース…の各コースの間には間隔が生じ互いに接触しない空隙が生ずる。
【００１８】
図１，図２Ａに示す一つの編地Ｆ１又はＦ２において、隣接するウエール間に渡るシンカーループＳＬは、前記した如く、基布１の表面に位置するウエールと裏面に位置するウエール間に渡っており、このシンカーループは前記第１，第２の編地Ｆ１，Ｆ２共に存在するので各コースごとにシンカーループの交差が行われ、それによりウエール間の編地ループの妄動は防止されている。そして、各コースのシンカーループＳＬ間には空隙が作られることになり、該部は光の通過率が高く、透光路１０としての作用を満足することになる。
【００１９】
上記図１，図２Ａに示す例は、第１の編地Ｆ１と第２の編地Ｆ２とが、１ウエールごとに基布１の表裏面に交互に位置する組織とすることによって、シンカーループを各ウエール間に交差させているが、シンカーループの渡りを変化させて編地の柔軟性を高め伸縮性を良くすることも考えられる。
【００２０】
図３に示す如く、矢印Ｘ方向から見て、第１の編地Ｆ１の隣接する２つの裏目ウエールＰｗに対位する第２の編地Ｆ２の２つのウエールを表目ウエールＫｗとすることにより第１，第２の編地Ｆ１，Ｆ２の当該２つのウエール間には第１の編地Ｆ１と第２の編地Ｆ２のそれぞれのシンカーループＳＬの交差はなく、平行状態に保たれており、これによって該部の固定状態は柔げられ、生地の伸縮性，柔軟性は高められる。
【００２１】
次に本発明基布を構成する糸について示す。
本発明基布はポリエステル及び又はナイロン等の合成繊維の繊度２０〜１００ｄｔｅｘ、フィラメント数１〜４８程度の糸を用い、編成される。
その例を下記表１に示す。
【００２２】
【表１】
2007306983.tif 000003
【００２３】
尚、上記品番Ａは、使用原糸としてフィラメント（未捲縮加工糸）を採用する事で光透過率は従来品の３６．５％に比べて倍以上の８１．１％にまで高める事が実現している。従って、この糸使いと組織の組み合わせがベストと考えられる。
光透過率測定は次の如く行った。装置としてスペクトル測定可能な分光光度計（日本分光工業株式会社製  Ｕｂｅｓｔ−５０）に積分球をセットして使用した。透過率の測定は可視光の波長範囲（３５０nm〜８００nm）のブランク（試料なし）の透過率スペクトル面積に対する試験試料の透過率スペクトル面積の比率を可視光透過率％とした。また、測定はＮ＝３にて行い、平均値を小数点以下１桁まで求めた。
モジュラス測定方法は、試料を生地から長門方向及び幅方向それぞれ幅５０ｍｍ×長さ３００ｍｍに断裁して準備し、張り試験機で評点速度２００ｍｍ／ｍｉｎ、つかみ間隔２００ｍｍ、伸張率３０％の条件で測定し、長さ方向、幅方向の試料それぞれＮ＝４にて測定して平均した。
【００２４】
尚、上記品番Ｂは、使用原糸をフィラメント（未捲縮加工糸）との捲縮加工糸１：１の使用を採用した場合は光透過率はベスト品には及ばないものの目標と考える７０％を上回る７１．１％を実現している。従って生地の透明度を上げる発明品としてこのような糸使いでも良いと考えられる。
【００２５】
尚、上記品番Ｃは、本発明と同じ組織で糸使いを従来品と同様の捲縮加工糸にした場合。光透過率は本発明ベスト品、ベター品と比較して目標と考える７０％を下回る結果である。従って、使用原糸は捲縮加工糸だけでは透明度を上げる事に限界があると推察される。
尚、上記品番Ａ，Ｂ，Ｃ共に編組織は同一である。
【００２６】
上記品番Ｄは、フィラメント数３６のポリエステル捲縮加工糸による従来品で、繊度が５６ｄｔｅｘと品番Ｃより細いにもかかわらず編組織が本発明と異なるため光透過率は３６．５％と品番Ｃに比べてもかなり劣っている。
【図面の簡単な説明】
【００２７】
【図１】本発明基布の実施例を示す編目構成図。
【図２】図１に示す編地において表裏編地のコースを編口より見た編目構成図で、Ａは１，２コースの、Ｂは３，４コースの編目の状態をそれぞれ示す。
【図３】他の編地の編目構成図である。
【図４】皮膚外用剤の斜視図。
【図５】本発明基布を示す平面図で、Ａは最も光透過率の高い基布、Ｂは次位の基布、Ｃは糸使いを未巻縮加工糸から巻縮加工糸に替えたもの、Ｄは従来品である。
【符号の説明】
【００２８】
１  基布
２  皮膚外用剤
３  湿布
１０  透光路
Ｓ１，Ｓ２，Ｓ３，Ｓ４，Ｌ１，Ｌ２，Ｌ３，Ｌ４  針
Ｆ１  第１の編地
Ｆ２  第２の編地
Ｋ  表目
Ｋｗ  表目ウエール
Ｐ  裏目
Ｐｗ  裏目ウエール
ＳＬ  シンカーループ
【図１】
2007306983.tif 000004
【図２】
2007306983.tif 000005
【図３】
2007306983.tif 000006
【図４】
2007306983.tif 000007
【図５】
2007306983.tif 000008
【手続補正書】
【提出日】平成18年8月22日(2006.8.22)
【手続補正１】
【補正対象書類名】明細書
【補正対象項目名】００１４
【補正方法】変更
【補正の内容】
【００１４】
基布１の編成方法を更に詳細に説明する。図２Ａに示す編地Ｆ１の１コース目（白糸で表記）をまず針Ｌ１，Ｌ２…により矢印Ｘ方向から見て、表目Ｋ，裏目Ｐ，表目Ｋ，裏目Ｐ…と繰り返し編成し表目Ｋと裏目Ｐとの間はシンカーループＳＬにより連ねた第１の編地Ｆ１を編成する。次に針Ｓ１，Ｓ２…により矢印Ｘ方向から見て裏目Ｐ，表目Ｋ，裏目Ｐ，表目Ｋ…と繰り返し編成し、表目Ｋと裏目Ｐの間はシンカーループＳＬにより連ねた第２の編地Ｆ２の１コース目（斜線で表記）を編成する。上記編成により編地Ｆ１の白糸のシンカーループＳＬをその上から編地Ｆ２の斜線糸のシンカーループＳＬが押さえる状態で交差することになる。
【手続補正２】
【補正対象書類名】明細書
【補正対象項目名】００１５
【補正方法】変更
【補正の内容】
【００１５】
編地Ｆ２の２コース目は図２Ｂに示す如く白糸を用い、まず針Ｓ１，Ｓ２…により矢印Ｘ方向から見て裏目Ｐ，表目Ｋ，裏目Ｐ，表目Ｋ…と連続し、裏目Ｐと表目Ｋとの間はシンカーループＳＬにより連なっている第２の編地Ｆ２を編成する。上記編地Ｆ２の２コース目白糸のシンカーループＳＬは、第２の編地Ｆ２の１コース目斜線糸のシンカーループＳＬが１コース目第１の編地Ｆ１の白糸のシンカーループＳＬを押さえるよう１コース目白糸のシンカーループと接触しているために、第２の編地Ｆ２の１コース目の斜線糸のシンカーループとはニードルループＮＬ（図１に示す）の長さに対応するが如き間隔を持って２コース目のシンカーループＳＬと対位することになり、その間に空隙が生ずる。図１に空隙を１０で示す。
【手続補正３】
【補正対象書類名】明細書
【補正対象項目名】００１６
【補正方法】変更
【補正の内容】
【００１６】
次に針Ｌ１，Ｌ２，Ｌ３，…により矢印Ｘ方向から見て表目Ｋ，裏目Ｐ，表目Ｋ，裏目Ｐ…と繰り返し編成し、裏目Ｐと表目Ｋの間はシンカーループＳＬにより連なっている第１の編地Ｆ１の２コース目を斜線糸で編成する。上記編成により第２の編地Ｆ２の白糸のシンカーループＳＬに第１の編地Ｆ１の斜線糸のシンカーループＳＬが交差し、斜線糸のシンカーループＳＬにより白糸のシンカーループＳＬが上から押さえられる状態で位置することになる。
【手続補正４】
【補正対象書類名】明細書
【補正対象項目名】００１７
【補正方法】変更
【補正の内容】
【００１７】
編地Ｆ１の３コース目白糸（図１に示す）は、前記編地Ｆ１の１コース目白糸と同様の編成となり、白糸のシンカーループは、２コース目斜線糸のシンカーループとは間隔を有して位置することになり、以下これを繰り返す。従って、各編地Ｆ１，Ｆ２の各コースの編成順を示すと、Ｆ１の１コース目，Ｆ２の１コース目，Ｆ２の２コース目，Ｆ１の２コース目，Ｆ１の３コース目，Ｆ２の３コース目，Ｆ２の４コース目，Ｆ１の４コース目となる。即ち、各シンカーループＳＬは１コース目の白糸と斜線糸、２コース目の白糸と斜線糸、３コース目の白糸と斜線糸が各コースで互いに接し、１コース目斜線糸と２コース目白糸、２コース目斜線糸と３コース目白糸、３コース目斜線糸と４コース目白糸の間には間隔が生じ互いに接触しない空隙１０が生ずる。
【手続補正５】
【補正対象書類名】明細書
【補正対象項目名】００２７
【補正方法】変更
【補正の内容】
【００２７】
【図１】本発明基布の実施例を示す編目構成図。
【図２】図１に示す編地において表裏編地のコースを編口より見た編目構成図で、Ａは１コースの、Ｂは２コースの編目の状態をそれぞれ示す。
【図３】他の編地の編目構成図である。
【図４】皮膚外用剤の斜視図。
【図５】本発明基布を示す平面図で、Ａは最も光透過率の高い基布、Ｂは次位の基布、Ｃは糸使いを未巻縮加工糸から巻縮加工糸に替えたもの、Ｄは従来品である。
【手続補正６】
【補正対象書類名】図面
【補正対象項目名】図１
【補正方法】変更
【補正の内容】
【図１】
2007306983.tif 000009
【手続補正７】
【補正対象書類名】図面
【補正対象項目名】図２
【補正方法】変更
【補正の内容】
【図２】
2007306983.tif 000010
【手続補正８】
【補正対象書類名】図面
【補正対象項目名】図３
【補正方法】変更
【補正の内容】
【図３】
2007306983.tif 000011